(57)【要約】【課題】スカートガードの表面が損傷することを防止することができるスカートガードスイッチ動作確認治具を得る。【解決手段】スカートガードスイッチ６の動作を確認する際に用いられるスカートガードスイッチ動作確認治具であって、循環移動する踏段２に設けられる支持部材７と、支持部材７に支持され、スカートガード５を介してスカートガードスイッチ６を押圧する押圧位置とスカートガードスイッチ６への押圧が解消される解消位置との間で変位するローラ８１とを備え、ローラ８１は、ローラ８１の位置が押圧位置である場合に、踏段２の移動にともなってスカートガード５を転動する。【選択図】図２
2014065575.tif 000002
【特許請求の範囲】
【請求項１】
スカートガードスイッチの動作を確認する際に用いられるスカートガードスイッチ動作確認治具であって、
循環移動する踏面部材に設けられる支持部材と、
前記支持部材に支持され、スカートガードを介して前記スカートガードスイッチを押圧する押圧位置と前記スカートガードスイッチへの押圧が解消される解消位置との間で変位する回転体と
を備え、
前記回転体は、前記回転体の位置が前記押圧位置である場合に、前記踏面部材の移動にともなって前記スカートガードを転動することを特徴とするスカートガードスイッチ動作確認治具。
【請求項２】
前記支持部材は、支持部本体と、前記支持部本体に設けられ、前記踏面部材の縦方向に延びた回動軸と、前記回動軸から上方および下方に延びるように設けられ、前記回動軸を中心に回動する回動部材とを有し、
前記回転体は、前記回動軸よりも下方に位置する前記回動部材の部分に支持されており、前記回動軸よりも上方に位置する前記回動部材の部分が前記踏面部材の幅方向内側に移動する方向に前記回動部材が回動することによって、前記解消位置から前記押圧位置に変位することを特徴とする請求項１に記載のスカートガードスイッチ動作確認治具。
【請求項３】
前記支持部材は、前記踏面部材の踏面に形成された溝に挿入される脚部を有していることを特徴とする請求項１または請求項２に記載のスカートガードスイッチ動作確認治具。
【請求項４】
前記支持部材は、複数の前記脚部を有しており、
複数の前記脚部のそれぞれは、互いに異なる前記溝に挿入されることを特徴とする請求項３に記載のスカートガードスイッチ動作確認治具。
【請求項５】
前記支持部材は、前記踏面部材に形成された係合孔と係合することによって前記踏面部材に対する前記支持部材の移動を規制する係合突起を有していることを特徴とする請求項１ないし請求項４の何れか１項に記載のスカートガードスイッチ動作確認治具。
【請求項６】
前記回転体の位置が前記解消位置となるように前記回転体を付勢する付勢部材をさらに備えたことを特徴とする請求項１ないし請求項５の何れか１項に記載のスカートガードスイッチ動作確認治具。
【発明の詳細な説明】
【技術分野】
【０００１】
この発明は、特に、乗客コンベヤの踏面部材を走行させながらスカートガードスイッチの動作を確認する際に用いられるスカートガードスイッチ動作確認治具に関する。
【背景技術】
【０００２】
従来、棒部材と、棒部材の中間部に設けられスカートガードに当接する当接部とを備え、棒部材の下端部が踏段の溝に挿入された状態で、作業者が棒部材の上端部を踏段の幅方向外側に向かって押圧することにより、当接部がスカートガードを介してスカートガードスイッチを押圧するスカートガードスイッチ動作確認治具が知られている。当接部がスカートガードスイッチを押圧することにより、スカートガードスイッチの動作が確認される（例えば、特許文献１参照）。
【先行技術文献】
【特許文献】
【０００３】
【特許文献１】特公平１−１４１５５号公報
【発明の概要】
【発明が解決しようとする課題】
【０００４】
しかしながら、スカートガードスイッチの動作の確認は、踏段が移動する状態で実施されるので、スカートガードスイッチの動作を確認する際に、当接部がスカートガードの表面を摺動する。その結果、スカートガードの表面が損傷してしまうおそれがあるという問題点があった。
【０００５】
この発明は、スカートガードの表面が損傷することを防止することができるスカートガードスイッチ動作確認治具を提供するものである。
【課題を解決するための手段】
【０００６】
この発明に係るスカートガードスイッチ動作確認治具は、スカートガードスイッチの動作を確認する際に用いられるスカートガードスイッチ動作確認治具であって、循環移動する踏面部材に設けられる支持部材と、前記支持部材に支持され、スカートガードを介して前記スカートガードスイッチを押圧する押圧位置と前記スカートガードスイッチへの押圧が解消される解消位置との間で変位する回転体とを備え、前記回転体は、前記回転体の位置が前記押圧位置である場合に、前記踏面部材の移動にともなって前記スカートガードを転動する。
【発明の効果】
【０００７】
この発明に係るスカートガードスイッチ動作確認治具によれば、循環移動する踏面部材に設けられる支持部材と、支持部材に支持され、スカートガードを介してスカートガードスイッチを押圧する押圧位置とスカートガードスイッチへの押圧が解消される解消位置との間で変位する回転体とを備え、回転体は、回転体の位置が押圧位置である場合に、踏面部材の移動にともなってスカートガードを転動するので、スカートガードスイッチの動作を確認する際に、回転体がスカートガードの表面を転動する。その結果、スカートガードの表面が損傷することを防止することができる。
【図面の簡単な説明】
【０００８】
【図１】この発明の実施の形態１に係るエスカレータを示す側面図である。
【図２】図１のスカートガードスイッチの動作を確認するためのスカートガードスイッチ動作確認治具を示す側面図である。
【図３】図２のスカートガードスイッチ動作確認治具を示す正面図である。
【図４】図２のスカートガードスイッチ動作確認治具を示す上面図である。
【図５】図２のキャスタ８の変形例を示す側面図である。
【発明を実施するための形態】
【０００９】
実施の形態１．
図１はこの発明の実施の形態１に係るエスカレータを示す側面図である。図において、エスカレータ（乗客コンベヤ）は、上階と下階とに渡って設けられた主枠１と、主枠１に設けられ、乗降口間を循環移動する複数の踏段（踏面部材）２と、踏段２よりも踏段２の幅方向外側に設けられた一対の欄干３と、各欄干３に設けられ、踏段２と同期して循環移動する一対の手摺４と、欄干３よりも下方に設けられたスカートガード５と、踏段２とスカートガード５との間に異物が挟み込まれることを検出するスカートガードスイッチ６とを備えている。スカートガードスイッチ６は、スカートガード５の裏面側に配置されている。つまり、スカートガードスイッチ６は、踏段２との間にスカートガード５が挟まれるように配置されている。
【００１０】
図２は図１のスカートガードスイッチ６の動作を確認するためのスカートガードスイッチ動作確認治具を示す側面図、図３は図２のスカートガードスイッチ動作確認治具を示す正面図、図４は図２のスカートガードスイッチ動作確認治具を示す上面図である。図において、スカートガードスイッチ動作確認治具は、踏段２に取り付けられる支持部材７と、支持部材７に支持されるキャスタ８と、支持部材７に設けられたばね部材（付勢部材）９とを備えている。
【００１１】
支持部材７は、踏段２の踏面に配置される支持部本体７１と、支持部本体７１に設けられた回動軸７２と、回動軸７２を中心に回動する回動部材７３と、支持部本体７１に設けられ、踏段２の踏面に形成された溝２１に挿入される２つの脚部７４と、脚部７４の先端部に設けられ、踏段２に形成された踏段取付孔（係合孔）２２と係合する係合突起７５と、支持部本体７１に設けられたストッパ７６とを有している。
【００１２】
支持部本体７１は、踏段２の踏面に沿うように踏面に配置される平板部７１１と、平板部７１１が踏段２の踏面に配置された場合に平板部７１１から上方に延びる一対の縦板部７１２とを含んでいる。一対の縦板部７１２は、平板部７１１が踏段２の踏面に配置された場合に踏段２の縦方向Ａに互いに離れて配置される。ここで、踏段２の縦方向Ａとは、踏段２の踏面に沿った方向であって、踏段２の幅方向Ｂに直交する方向である。
【００１３】
回動軸７２は、一対の縦板部７１２のそれぞれに取り付けられている。回動軸７２は、支持部本体７１が踏段２の踏面に配置された場合に、踏段２の縦方向に延びて配置される。
【００１４】
回動部材７３は、回動軸７２に回動可能に支持されている。回動部材７３は、支持部本体７１が踏段２の踏面に配置された場合に回動軸７２よりも下方に位置する部分である回動部材下部７３１と、支持部本体７１が踏段２の踏面に配置された場合に回動軸７２よりも上方に位置する部分である回動部材上部７３２とを含んでいる。つまり、回動部材７３は、支持部本体７１が踏段２の踏面に配置された場合に回動軸７２から上方および下方に延びるように配置される。回動部材下部７３１は、回動部材上部７３２が鉛直方向に延びて配置される場合に下端部が上端部よりも踏段２の幅方向内側に位置するように、回動部材上部７３２の長手方向に対して傾斜する方向に延びている。回動部材上部７３２の上端部は、作業者により把持される把持部７３３となっている。回動軸７２から回動部材下部７３１の下端部までの距離は、回動軸７２から把持部７３３までの距離よりも小さくなっている。
【００１５】
脚部７４は、平板部７１１に接続されている。脚部７４は、平板部７１１が踏段２の踏面に配置された場合に平板部７１１から下方に延びるように配置される。一対の脚部７４のそれぞれは、互いに異なる溝２１に挿入されるようになっている。
【００１６】
係合突起７５は、一対の脚部７４のうちの一方の脚部７４、この例では、踏段２の幅方向内側に配置される脚部７４の先端部に配置されている。係合突起７５は、脚部７４が溝２１に挿入された場合に、踏段取付孔２２と係合する。踏段取付孔２２は、踏段２の溝２１の底面から下方に延びて踏段２を貫通して形成された孔である。踏段取付孔２２は、踏段２を踏段軸（図示せず）に取り付ける際に用いられる取付治具（図示せず）が挿入される孔である。
【００１７】
ストッパ７６は、平板部７１１から縦板部７１２に沿って延びて形成されている。ストッパ７６は、平板部７１１が踏段２の踏面に配置された場合に縦板部７１２よりも踏段２の幅方向内側に位置するように配置される。ストッパ７６は、回動部材上部７３２が踏段２の踏面に対して直交する方向に延びた場合に回動部材下部７３１の下端部に当接される。ストッパ７６は、回動部材上部７３２が踏段２の踏面に対して直交する方向に延びた状態から、回動部材上部７３２の上部が踏段２の幅方向外側に向かう方向に回動部材７３が回動することを規制する。
【００１８】
キャスタ８は、ローラ（回転体）８１と、ローラ８１を回転可能に支持する腕部材８２と、腕部材８２を支持する基部８３とを有している。腕部材８２は、基部８３に直交する直線を中心にして周方向について回転可能となっている。基部８３は、回動部材下部７３１に取り付けられている。つまり、ローラ８１は、回動部材下部７３１に支持されている。したがって、ローラ８１は、回動部材７３が回動することによって変位する。具体的には、ローラ８１は、回動部材７３が回動することによって、スカートガード５を介してスカートガードスイッチ６を押圧する押圧位置とスカートガードスイッチ６への押圧が解消される解消位置との間で変位する。
【００１９】
ばね部材９は、回動部材下部７３１とストッパ７６とに接続されている。ばね部材９は、回動部材下部７３１がストッパ７６に当接するように回動部材下部７３１を付勢する。つまり、ばね部材９は、ローラ８１の位置が解消位置となるようにローラ８１を付勢する。
【００２０】
次に、スカートガードスイッチ動作確認治具を用いてスカートガードスイッチ６の動作を確認する手順について説明する。エスカレータを停止させた状態で、スカートガードスイッチ動作確認治具を踏段２に取り付ける。このとき、脚部７４を溝２１に挿入し、係合突起７５を踏段取付孔２２に挿入する。これにより、踏段２の幅方向および縦方向についての踏段２に対するスカートガードスイッチ動作確認治具の移動が規制される。
【００２１】
その後、エスカレータの運転を開始し、作業者は、ばね部材９の付勢力に逆らって、把持部７３３を踏段２の幅方向内側に向かって移動させる。これにより、回動部材７３が回動して、ローラ８１が解消位置から押圧位置に変位する。このとき、ローラ８１は、踏段２の移動にともなってスカートガード５の表面を転動する。ローラ８１がスカートガードスイッチ６を押圧することにより、スカートガードスイッチ６が作動して、エスカレータが停止する。
【００２２】
その後、作業者の手が把持部７３３から離れると、ばね部材９の付勢力によって回動部材７３が回動して、ローラ８１が押圧位置から解消位置に変位する。以上により、スカートガードスイッチ動作確認治具を用いたスカートガードスイッチ６の動作の確認作業が終了する。
【００２３】
以上説明したように、この発明の実施の形態１に係るスカートガードスイッチ動作確認治具によれば、循環移動する踏段２に設けられる支持部材７と、支持部材７に支持され、スカートガード５を介してスカートガードスイッチ６を押圧する押圧位置とスカートガードスイッチ６への押圧が解消される解消位置との間で変位するローラ８１とを備え、ローラ８１は、ローラ８１の位置が押圧位置である場合に、踏段２の移動にともなってスカートガード５を転動するので、スカートガードスイッチ６の動作を確認する際に、ローラ８１がスカートガード５の表面を転動する。その結果、スカートガード５の表面が損傷することを防止することができる。また、ローラ８１の位置が押圧位置である場合に、ローラ８１がスカートガード５の表面を転動するので、ローラ８１の押圧力をスカートガード５にスムーズに伝えることができる。
【００２４】
また、支持部材７は、支持部本体７１と、支持部本体７１に設けられ、踏段２の縦方向に延びた回動軸７２と、回動軸７２から上方および下方に延びるように設けられ、回動軸７２を中心に回動する回動部材７３とを有し、ローラ８１は、回動軸７２よりも下方に位置する回動部材下部７３１に支持されており、回動軸７２よりも上方に位置する回動部材上部７３２が踏段２の幅方向内側に移動する方向に回動部材７３が回動することによって、解消位置から押圧位置に変位するので、スカートガードスイッチ動作確認治具を用いてスカートガードスイッチ６の動作を確認する際に、回動部材上部７３２がインナーデッキ（図示せず）、欄干３または手摺４に接触することを防止することができる。
【００２５】
また、支持部材７は、踏段２の踏面に形成された溝２１に挿入される脚部７４を有しているので、踏段２の幅方向についての踏段２に対するスカートガードスイッチ動作確認治具の移動を規制することができる。
【００２６】
また、支持部材７は、２つの脚部７４を有しており、２つの脚部７４のそれぞれは、互いに異なる溝２１に挿入されるので、ローラ８１を解消位置から押圧位置に変位させる際に脚部７４から溝２１に働く力を分散させることができる。その結果、溝２１の損傷の発生を抑制することができる。
【００２７】
また、支持部材７は、踏段２に形成された踏段取付孔２２と係合することによって踏段２に対する支持部材７の移動を規制する係合突起７５を有しているので、踏段２の縦方向についての踏段２に対するスカートガードスイッチ動作確認治具の移動を規制することができる。
【００２８】
また、スカートガードスイッチ動作確認治具は、ローラ８１の位置が解消位置となるようにローラ８１を付勢するばね部材９を備えているので、作業者が把持部７３３に対して力を加えていない場合には、ローラ８１の位置が解消位置となり、ローラ８１とスカートガード５との不要な接触を防ぐことができる。
【００２９】
なお、上記実施の形態１では、乗客コンベヤとしてエスカレータを例に説明したが、動く歩道であってもよい。動く歩道の場合、支持部材７が設けられる踏面部材としては、利用者が乗る循環ベルトが用いられる。
【００３０】
また、上記実施の形態１では、回転体として、ローラ８１を例に説明したが、図５に示すように、ボール８４であってもよい。この場合、キャスタ８は、ボール８４が任意の方向に回転可能となるようにボール８４を保持する保持部材８５を有する。
【００３１】
また、上記実施の形態１では、付勢部材として、ばね部材９を例に説明したが、例えば、ゴム部材であってもよい。
【００３２】
また、上記実施の形態１では、把持部７３３を踏段２の幅方向内側に向かって移動させることによって、ローラ８１がスカートガードスイッチ６を押圧する構成について説明したが、把持部７３３を踏段２の幅方向外側に向かって移動させることによって、ローラ８１がスカートガードスイッチ６を押圧する構成であってもよい。この場合、キャスタ８は、把持部７３３と回動軸７２との間に配置される。
【符号の説明】
【００３３】
１  主枠、２  踏段、３  欄干、４  手摺、５  スカートガード、６  スカートガードスイッチ、７  支持部材、８  キャスタ、９  ばね部材（付勢部材）、２１  溝、２２  踏段取付孔（係合孔）、７１  支持部本体、７２  回動軸、７３  回動部材、７４  脚部、７５  係合突起、７６  ストッパ、８１  ローラ（回転体）、８２  腕部材、８３  基部、８４  ボール（回転体）、８５  保持部材、７１１  平板部、７１２  縦板部、７３１  回動部材下部、７３２  回動部材上部、７３３  把持部。
【図１】
2014065575.tif 000003
【図２】
2014065575.tif 000004
【図３】
2014065575.tif 000005
【図４】
2014065575.tif 000006
【図５】
2014065575.tif 000007